(57)【要約】【課題】緊張した場面でパッティングする時の、その人の持つ癖（インパクトでフェイス面が閉じる、または、開く）を的確に把握し、それを矯正するパターを提供する。【解決手段】閉じる癖のある人は、フェイス面のトー側を開き、開く癖のある人は、ヒール側を開いてパッティングする必要がある。そこで、薄いパターの外枠１の中にあるフェイス面２が横に回転するように工夫したパターを提供する。回転するフェイス面は、中心の３のネジを緩めると無段階に回転させることができ、ネジを締めると任意の回転の位置で固定することができる。なお、３は外枠とフェイス部分を圧着して固定したり、緩めてフェイス部分が回転し易くしたりするものである。【選択図】図１
0003190310.tif 000002
【実用新案登録請求の範囲】
【請求項１】
パターのフェイス面の角度を変えるアイディアということで、回転し、ボールの方向性を矯正するパターフェイスの仕組みを持ったパターと従来のパターにつける方向性を矯正する金属のグッズを実用新案登録請求する。
【請求項２】
また、フェイス面の角度を変えるアイディアでは、角度を変えたフェイスをパターに埋め込む、フェイス面の角度を変えるためにパターの外枠の方向を示す目印などを変えることも実用新案登録請求の範囲とする。
【考案の詳細な説明】
【技術分野】
【０００１】
ゴルフのパッティングにおける方向性を矯正するパターとそのグッズを提供する。(パターに体を合わせる発想から体にパターを合わせる発想への転換）
【背景技術】
【０００２】
ゴルフにおいて、ドライバー、アイアン、パターの使用頻度は、理想の形でパー７２を回った場合、ドライバー１９．４％、アイアン３０．６％、パター５０パーセントの割合を占める。このパター５０％の割合は、ゴルフのスコアーメイクにおいて大きな影響を与える。
【０００３】
また、パッティングにおいて、もっとも重要視されるのは、距離感と方向性である。距離感については、転がりの良さを求めたパターの開発やふり幅による転がりの距離の測定など様々な試みが行われている。しかし、方向性については、人の日々の努力に委ねられているのが現状である。
【０００４】
そして、その方向性を極めるために、人は日々努力をするが、短い距離のパッティングであっても緊張する場面では外すことが多い。また、長い距離のパッティングでも思わぬ力が入り、大きく外すことがある。これらは、その人の持つ癖（パッティングでフェイスが閉じる、または開く）が大きな影響を与えていると考えられる。
【０００５】
したがって、この人の癖を理解したうえで、その人に合ったパターを開発するならば、方向性は一定し、距離感だけに集中したパッティングが可能になり、スコアーは、格段に良くなると考えられる。
【先行技術文献】
【特許文献】
【０００６】
【特許文献１】特許公開  ２００７−６８６５２    特許公開  ２０１３−６００６
【考案の概要】
【考案が解決しようとする課題】
【０００７】
緊張した場面でパッティングする時の、その人の持つ癖（インパクトでフェイスが閉じる、または、開く）を的確に把握し、それに合ったパターを提供する。
【０００８】
具体的には、パターがインパクトでフェイスが閉じるとピンの内側に外し、開くとピンの外側に外す。したがって、それを矯正するパターを提供する。
【課題を解決するための手段】
【０００９】
人の体の仕組みを考えたとき、閉じる癖の人が圧倒的に多いと思われるが、閉じる癖の人には、インパクトの時にパターのフェイス面が開くように、また、開く癖のある人には、インパクトでパターのフェイス面が閉じるようにするパターを提供する。そのために、薄いパターの外枠の中にあるフェイス面が横に回転するように工夫したパターを提供する。回転するフェイス面は、中心のネジを緩めると無段階に回転させることができ、ネジを締めると任意の回転の位置で固定することができる。
【００１０】
また、従来のパターを利用してフェイス面に横方向の角度をつけ、閉じたり、開いたりを矯正するためには、フェイス面にフェイス面と同じ形状で角度をつけた板状のフェイス面を準備し、両面テープもしくは強力な磁石でつけるようにする。
【考案の効果】
【００１１】
従来のパターでは、方向性と距離感を気にしてパッティングをしていた。しかし、自分の癖を知り、その癖に合わせてパターを矯正することで、緊張の場面でも方向性を気にせず、距離感だけを考えてパッティングに専念できる。また、自分の癖を気にしないでパッティングの練習をすることで、パッティングの技術も向上し、大きなスコアーアップが期待できると思われる。
【図面の簡単な説明】
【００１２】
【図１】この図は、フェイス面が回転するパターである。１は、外枠である。２は、フェイス面で３の回転軸を中心に外枠までの範囲で回転する。なお、３は外枠とフェイス部分を圧着し、固定したり、緩めてフェイス部分が回転し易くしたりするものである。
【図２】この図は、図１のパターを上から見たものである。左の図は、ノーマルな状態のパターフェイスでである。中央の図は、パターフェイスが開いた状態、すなわち、パターフェイスを閉じる癖のある人が使用するときのパターフェイスである。右の図は、パターフェイスが閉じた状態、すなわち、パターフェイスを開く癖のある人が使用するときのパターフェイスである。
【図３】この図は、緊張した場面の中で、その人のパッティングの癖を正確につかむためのパターマットである。フラットで転がり易いものであれば、一般に売り出されているパターマットやカーペットでもいいが、中央に幅１ｃｍぐらいの線を引き、その線の上をなぞるようにパッティングをし、その人の癖（閉じる、開く）と、どれぐらいの幅で外すかを把握するものである。
【図４】この図は、従来のパターを矯正するためのグッズである。１はフェイス面で、αは2ｍｍ、４ｍｍ、６ｍｍである。この裏面に両面テープをつけ、従来のパターのフェイス面に貼り付ける。または、これ自体を強力な磁石にしてフェイス面にはりつける。
【図５】この図（表）は、パターフェイス面の横の長さが１０ｃｍのパターで矯正できる幅を具体的に示した表である。分かり易く２ｍｍ、４ｍｍ、６ｍｍで例を示したが、これを基にパターのフェイス面を矯正できると考える。
【考案を実施するための形態】
【００１３】
はじめに、緊張する場面を作り出すために、直線を引いたパターマットを準備する。そして、その上をなぞるように数回パッティングをし、自分の癖とはずす幅を把握する。
【００１４】
その上で、横方向へフェイス面の角度を調整できるパター（矯正パター）で、インパクトで閉じやすい人は、パターのフェイス面のトー（外側）が開くように角度をつける。また、インパクトで開きやすい人は、パターのフェイス面のヒール（内側）が開くように角度をつける。
【００１５】
そして、パター本来のターゲット機能（ピンの方向を示す線や目印、または、角度調整前のフェイス面の外枠）を利用して打ち出す。
【００１６】
従来のパターを利用する場合は、フェイス面に横方向の角度をつけるために、フェイス面にフェイス面と同じ形状で角度をつけた板状のフェイス面を準備し、両面テープもしくは強力な磁石でつけ、パター本来のターゲット機能（ピンの方向を示す線や目印、または、角度調整前のフェイス面の外枠）を利用して打ち出す。
【実施例】
【００１７】
コースを回る途中で角度を調整することは、ペナルティが発生するが、矯正パターを使ってコースを回ることは可能であると考える。
【００１８】
また、自分の癖をきちんと把握し、パッティングのテクニックを磨いたり、方向性を考慮してパッティングをしたりすることも可能である。
【産業上の利用可能性】
【００１９】
ゴルフにおいて、１ｍから２ｍのパッティングのミスで悔しい思いをした人は、プロも含めてゴルフをする全ての人が経験している。この矯正パターだけでゴルフが大きく変わるものではないが、もっと易しく、そして、達成感のあるものになれば、ゴルフを楽しむ人もふえ、ゴルフ業界の底上げにつながると考える。
【図１】
0003190310.tif 000003
【図２】
0003190310.tif 000004
【図３】
0003190310.tif 000005
【図４】
0003190310.tif 000006
【図５】
0003190310.tif 000007
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
ゴルフのパッティングにおいて，その人の持つ癖（インパクトでフェイスが閉じる、または、開く）を的確に把握し、パッティングの方向性を矯正する手段として、パターの外枠の中に、外枠より数ミリ飛び出した厚みと幅のあるフェイス面をはめ込み、回転するようにするが、そのフェイス面は、中心にあるネジによって緩めると回転し、締めると任意の位置で固定でき、フェイス面に飛び出した範囲を無段階に横方向の角度をつけられ、パッティングにおける人の癖（インパクトでフェイスが閉じる、または、開く）即ち方向性をミリ単位で矯正することを特徴とするパターと従来のパターでそれを応用、実証するための従来のパターのフェイス面に、パターと同じ形状で、両面テープでつけたり、強力な磁石でつけたり、はめ込んだりする横方向の角度をつけたクサビ型で板状を特徴とする方向性を矯正することを特徴とするグッズ。
【手続補正書】
【提出日】平成26年2月21日(2014.2.21)
【手続補正１】
【補正対象書類名】実用新案登録請求の範囲
【補正対象項目名】全文
【補正方法】変更
【補正の内容】
【実用新案登録請求の範囲】
【請求項１】
フェイス面を有する外枠より飛び出したフェイス部分と、外枠と、前記フェイス部分を外枠に固定するネジとからなるパターヘッドを備えたパターであり、前記ネジを緩めることによって前記ネジを回転軸として前記フェイス面が水平方向に外枠までの範囲で回転でき、前記ネジを締めることによって回転するフェイス面を外枠までの任意の角度で固定できるパター。